(57)【要約】【課題】マスク内側に吐き出された呼気によってメガネレンズが曇ることを防ぐ程度の気密性を有しつつ、呼吸や会話を楽に行うことができ、適度なフィット感が得られる使い捨て衛生マスクを提供することを課題とする。【解決手段】着用者の鼻及び口を覆うフィルター部と、該フィルター部内縁端から外側に延びる耳掛け部と、該耳掛け部の上側に形成された膨出部とを有する一対のブランクシートが、前記フィルター部の外縁端から膨出部上縁にかけて互いに接合された使い捨て衛生マスクであって、前記膨出部は、前記耳掛け部を左右に開いた状態において顔側へ下向きに傾斜し、着用時に鼻背に当接するように形成する。【選択図】図４
0003124262.tif 000002
【実用新案登録請求の範囲】
【請求項１】
着用者の鼻及び口を覆うフィルター部と、該フィルター部内縁端から外側に延びる耳掛け部と、該耳掛け部の上側に形成された膨出部とを有する一対のブランクシートが、前記フィルター部の外縁端から膨出部上縁にかけて互いに接合された使い捨て衛生マスクであって、
前記膨出部は、前記耳掛け部を左右に開いた状態において顔側へ下向きに傾斜し、着用時に鼻背に当接するように形成されたことを特徴とする、使い捨て衛生マスク。
【請求項２】
前記膨出部及び耳掛け部が、前記フィルター部に比較して剛性が低く且つ高い伸縮性を有する不織布で一体的に形成されている請求項１に記載の使い捨て衛生マスク。
【考案の詳細な説明】
【技術分野】
【０００１】
本考案は使い捨て衛生マスクに関し、更に詳細には、マスク内側に吐き出された呼気が上側に漏れ出すことを防止することにより、眼鏡使用者が好適に使用できる使い捨てマスクに関する。
【背景技術】
【０００２】
最近、一対の不織布のブランクシートから、着用時に口許周辺が自由に動かせるマスク部分と、該マスク部分の両側から延びる耳掛け部とが一体的に形成された衛生用使い捨てマスクが多く用いられている。このような使い捨てマスクであっても、鼻梁を横切るマスク部分の上縁左右には隙間が形成されるため、眼鏡使用者の場合、鼻梁の左右の隙間から抜け出した呼気がメガネレンズを曇らせる場合が多い。
【０００３】
そのため、マスク本体の周縁を粘着部で顔面に密着させて隙間を無くすようにした衛生マスクが提案されている。例えば、特開２００４−３１３３９７号公報には、粘着部に対して繰り返し剥離できる不織布からなる一対のブランクシートを接合したものであって、マスク本体の周縁を顔面に密着させる粘着部が互い違い状に設けられた衛生マスクが開示されている。
【０００４】
上記衛生マスクによれば、マスク本体の周縁が粘着部によって顔面に密着させることができるので、外気に含まれるアレルゲンがマスク内側に侵入することを防止することができ、また、呼気によるメガネレンズの曇りを防止する機能もある。しかし、マスク本体の周縁に設けられた粘着部が接着された肌面の皮膚呼吸を妨げるため、粘着部における肌面の違和感を解消することはできない。また、頬面に対して粘着部の付け剥がしを繰り返し行うと、粘着部の接着力が損なわれやすいので、脱着を自由に行うことができない。
【０００５】
【特許文献１】特開２００４−３１３３９７号公報
【考案の開示】
【考案が解決しようとする課題】
【０００６】
本考案は斯る点に鑑みて提案されるものであって、マスク内側に吐き出された呼気によってメガネレンズが曇ることを防ぐ程度の気密性を有しつつ、呼吸や会話を楽に行うことができ、適度なフィット感が得られる使い捨て衛生マスクを提供することを課題とする。
【課題を解決するための手段】
【０００７】
上記課題を解決するため、本考案は、着用者の鼻及び口を覆うフィルター部と、該フィルター部内縁端から外側に延びる耳掛け部と、該耳掛け部の上側に形成された膨出部とを有する一対のブランクシートが、前記フィルター部の外縁端から膨出部上縁にかけて互いに接合された使い捨て衛生マスクであって、前記膨出部は、前記耳掛け部を左右に開いた状態において顔側へ下向きに傾斜し、着用時に鼻背に当接するように形成されている使い捨て衛生マスクを第１の要旨とする。
【０００８】
また、本考案は、上記使い捨て衛生マスクのなかでも、上記膨出部及び耳掛け部が、前記フィルター部に比較して剛性が低く且つ高い伸縮性を有する不織布で一体的に形成されている使い捨て衛生マスクを第２の要旨とする。
【考案の効果】
【０００９】
本考案の使い捨て衛生マスクを着用するため、左右の耳掛け部をそれぞれ左右方向に引っ張ると、耳掛け部の上側に形成された膨出部は、耳掛け部に加わる引張力に追従して自然に顔側へ下向きに折れ曲がる。そして、上記使い捨て衛生マスクを着用すると、目の下の頬面又は鼻背周辺と該マスク上端部との間隙を無くすように、膨出部は、鼻背及び該頬面に当接する。そのため、マスク内側に吐き出された呼気が上側に漏れ出すことを防ぐことができる。
【００１０】
また、上記膨出部及び耳掛け部が、前記フィルター部に比較して剛性が低く且つ高い伸縮性を有する不織布で一体的に形成されている使い捨て衛生マスクの場合、上記膨出部は、着用者の鼻背との密着性が良好になるとともに、耳掛け部に加わる引張力に追従し易くなり、確実に顔側へ下向きに折れ曲がる。そのため、マスク上端側の気密性をより高くすることができる。また、膨出部及び耳掛け部が不織布で形成されている場合、マスクに当接する肌面は皮膚呼吸が阻害されないので、着用時の肌面の違和感を著しく改善できる。更に、上記膨出部及び耳掛け部を一体的に形成するので、製造コストを低減することができる。
【考案を実施するための最良の形態】
【００１１】
つぎに、添付の図面を参照して、本考案の使い捨て衛生マスク（以下、単に「本考案のマスク」という。）の実施の形態について詳細に説明する。
【００１２】
図１乃至図４は、本考案のマスクの一実施形態を示している。図１は本考案のマスクの一実施形態であるマスク１を左右に開いた状態の背面図である。図１の実施形態のマスク１は、図３に示すブランクシート２を２枚重ね合わせ、フィルター部１０の略円弧状の外縁端１１及び膨出部２３の上縁２３ａを溶着することにより形成される。図３に示すブランクシート２は、図２に示すようにフィルター部１０と装着部２０で構成されており、フィルター部１０の内縁端１２と装着部２０の側縁２１を溶着することにより形成される。
【００１３】
上記装着部２０は、切欠穴２２ａが形成された耳掛け部２２と、上記膨出部２３とを備えている。切欠穴２２ａは、左右の耳に係合させるためのものである。尚、本実施形態において、装着部２０に形成された切欠穴２２ａは、角部が滑らかな円弧状の略平行四辺形型であるが、スリット状、円形状等、必要に応じて任意の形状にすることができる。装着部２０を切り込むことにより切欠穴２２ａをスリット状に形成すれば、材料の不要部分を減らすことができるので、本考案のマスクを安価に提供できる。
【００１４】
上記膨出部２３は、装着部２０の耳掛け部２２の上側の位置から斜め上方に突出するように形成されている。尚、図１及び図４に示すように、上記実施形態のマスク１の着用時において、膨出部２３の折曲部２３ｂがマスク上端部を形成する。膨出部２３は、マスク１の着用時に折曲部２３ｂから顔側へ下向きに折れ曲がって鼻背及び頬面に当接し、目の下の頬面又は鼻背周辺と折曲部２３ｂとの間隙を無くすことにより、マスク１内側に吐き出された呼気が上側に漏れ出すことを防ぐ機能を有するものである。膨出部２３は、着用時に折曲部２３ｂから顔側へ折れ曲がった状態が維持される一方、呼吸の妨げにならない必要がある。従って、溶着される上縁２３ａの寸法は、マスク１着用時において鼻背に確実に当接すると共に、鼻尖までの長さとし、折曲部２３ｂから周縁部２３ｃまでの幅寸は、鼻背から鼻翼に当接する程度までの長さにすることが好ましい。具体的には、平均的な日本人用のマスクの場合、上縁２３ａの寸法及び折曲部２３ｂから周縁部２３ｃまでの幅寸は、いずれも約１．５ｃｍ〜３．０ｃｍである。
【００１５】
上記実施形態のマスク１は、図１に示すように左右の装着部２０を左右方向に開くと、耳掛け部２２に加わる引張力が、溶着された上縁２３ａに対して下向きに作用し、折曲部２３ｂから周縁部２３ｃまでの部分が自然に顔側へ下向きに折れ曲がる。そして、図４に示すように、着用者は顔側に折り曲げられた上縁２３ａを鼻背に当接させながら、切欠穴２２ａを左右の耳に係合させることにより、上記マスク１を着用する。
【００１６】
ブランクシート２に用いられる素材として、ポリウレタン繊維、ポリスチレン系繊維、ポリエステル繊維、ポリ塩化ビニル系繊維等の合成繊維から構成された不織布をあげることができる。尚、上記実施形態のマスク１の着用時において、マスク１と装着者の口元や鼻孔の間に、呼吸や会話を楽に行える空間を確保する必要がある。一方、左右の装着部２０は、適度なフィット感が得られるようにする必要がある。そこで、フィルター部１０は装着部２０に比較して高い剛性を有する材質で構成され、装着部２０は高い伸縮性を有する材質で構成されることが好ましい。また、上記実施形態のマスク１は、膨出部２３及び耳掛け部２２が装着部２０に一体的に形成されるので、該装着部２０は、フィルター部１０に比較して剛性が低く且つ高い伸縮性を有する不織布で構成することが好ましい。
【図面の簡単な説明】
【００１７】
【図１】本考案のマスクの一実施形態のマスク１を左右に開いた状態の背面図である。
【図２】図１のマスク１を構成するブランクシート２を分解した平面図である。
【図３】図１のマスク１を構成するブランクシート２の平面図である。
【図４】図１のマスク１の使用状態を示す一部断面側面図である。
【符号の説明】
【００１８】
１      マスク
２      ブランクシート
１０    フィルター部
１１    フィルター部の外縁端
２０    装着部
２２    耳掛け部
２２ａ  切欠穴
２３    膨出部
２３ａ  膨出部の上縁
２３ｂ  折曲部
２３ｃ  周縁部
【図１】
0003124262.tif 000003
【図２】
0003124262.tif 000004
【図３】
0003124262.tif 000005
【図４】
0003124262.tif 000006